(57)【特許請求の範囲】
【請求項１】
複数本の歯科治療用インスツルメントを並列に載置する水平式のインスツルメントホルダと、前記並列に載置されたハンドピースの先端に着脱自在に装着され、前記インスツルメントから排出される洗浄水を受ける排水トレイとから成り、前記インスツルメントホルダは前記排水トレイが装着されたことを検出するトレイ検出センサを有し、該排水トレイが装着されている時にのみインスツルメントのならし運転，スプレー洗浄運転を可能にした歯科用インスツルメントホルダにおいて、前記インスツルメントホルダは、ワークテーブルの下部に該ワークテーブルと一体的に取り付けられており、該ワークテーブルには、ならし運転用及びスプレー洗浄運転用の操作スイッチを有し、前記インスツルメントホルダに前記排水トレイが装着されていない時は、これら操作スイッチが働かず、音声にて排水トレイを装着するよう指示することを特徴とする歯科用インスツルメントホルダ。
【請求項２】
前記センサを少なくとも２箇所以上に有し、これらのセンサの全てが排水トレイが装着されていることを検出したときにのみ、インスツルメントのならし運転，スプレー洗浄運転が可能であることを特徴とする請求項１に記載の歯科用インスツルメントホルダ。
【請求項３】
前記ワークテーブルに表示パネルを有し、前記操作スイッチが働かない時は、該表示パネルに排水トレイを装着するよう指示する表示を行うことを特徴とする請求項１に記載の歯科用インスツルメントホルダ。
【発明の詳細な説明】
【技術分野】
【０００１】
本発明は、歯科用インスツルメントホルダ、より詳細には、インスツルメントホルダに載置されているインスツルメントをならし運転したりスプレー洗浄運転した時に、これらインスツルメントから放出される排水を受けるトレイが装着されているか否かを検出し、排水トレイが装着されていない時は、これらならし運転やスプレー洗浄運転をできないようにするとともに、音声にて排水トレイを装着するよう指示し、周囲の機械本体や床をスプレー水やタービンオイル等で汚してしまわないようにしたものである。
【背景技術】
【０００２】
図２は、排水トレイを有するインスツルメントホルダの一例を説明するための要部概略構成図で、図中、１はワークテーブル、２はワークテーブル１の下部に配設されたインスツルメントホルダ、３はインスツルメント、４はインスツルメント３にエアー、水、電気等を供給するためのインスツルメントホースで、インスツルメントホルダ２の上には歯科治療に用いる多数本のインスツルメント、例えば、エアータービン、マイクロエンジン、スケーラ、シリンジ等のインスツルメント３が横置き式に載置されており、歯科治療に当り、術者は、これらインスツルメントの中から歯科治療に必要なインスツルメントを引き出して使用する。
【０００３】
１０は排水トレイで、該排水トレイ１０は、インスツルメントホルダ２に着脱自在に装着可能になっており、該排水トレイ１０を、図示のように、インスツルメントホルダ２に装着した状態で、エアータービンやマイクロエンジンのならし運転をしたり、インスツルメントホース４内の水を入れ替えるスプレー洗浄運転を行っている。
【発明の開示】
【発明が解決しようとする課題】
【０００４】
ワークテーブル１には、上述のならし運転やスプレー洗浄運転を行うための操作スイッチが設けてあり、通常は、アシスタントが、このならし運転やスプレー運転を行っているが、間違えて、排水トレイ１０を装着しない状態で操作スイッチを押してしまうことがあり、周辺の機器や床等をタービンオイルやスプレー水で汚してしまうことがあった。
【０００５】
本発明は、上述のごとき実情に鑑みてなされたもので、排水トレイが装着されていない状態では、ならし運転やスプレー運転ができないようにすることを目的としてなされたものである。
【課題を解決するための手段】
【０００６】
請求項１の発明は、複数本の歯科治療用インスツルメントを並列に載置する水平式のインスツルメントホルダと、前記並列に載置されたハンドピースの先端に着脱自在に装着され、前記インスツルメントから排出される洗浄水を受ける排水トレイとから成り、前記インスツルメントホルダは前記排水トレイが装着されたことを検出するトレイ検出センサを有し、該排水トレイが装着されている時にのみインスツルメントのならし運転，スプレー洗浄運転を可能にした歯科用インスツルメントホルダにおいて、前記インスツルメントホルダは、ワークテーブルの下部に該ワークテーブルと一体的に取り付けられており、該ワークテーブルには、ならし運転用及びスプレー洗浄運転用の操作スイッチを有し、前記インスツルメントホルダに前記排水トレイが装着されていない時は、これら操作スイッチが働かず、音声にて排水トレイを装着するよう指示することを特徴としたものである。
【０００７】
請求項２の発明は、請求項１の発明において、前記センサを少なくとも２箇所以上に有し、これらのセンサの全てが排水トレイが装着されていることを検出したときにのみ、インスツルメントのならし運転，スプレー洗浄運転が可能であることを特徴としたものである。
【０００９】
請求項３の発明は、請求項１の発明において、前記ワークテーブルに表示パネルを有し、前記操作スイッチが働かない時は、該表示パネルに排水トレイを装着するよう指示する表示を行うことを特徴としたものである。
【発明の効果】
【００１１】
本発明によると、排水トレイが装着されていない状態では、ならし運転やスプレー洗浄運転ができないので、排水トレイが装着されていない状態で、間違えて、ならし運転やスプレー運転をしてしまうようなことはなく、周辺機器や床を汚してしまうような恐れがない。
【発明を実施するための最良の形態】
【００１２】
図１は、本発明による歯科用インスツルメントホルダの一実施例を説明するための概略斜視図で、図中、１はワークテーブル、２は該ワークテーブル１の下部に該ワークテーブル１と一体的に設けられたインスツルメントホルダで、該インスツルメントホルダ２には、周知のように、多数本のインスツルメント３が横置式に並列に載置されている。１０はワークテーブル１又はインスツルメントホルダ２に着脱自在に装着される排水トレイで、図示例の場合、排水トレイ１０の両外側部に設けられた凹（溝）部１１とワークテーブル１の両内側部に設けられた凸（突起）部１２が係合可能となっており、排水トレイ１０を矢印Ａ方向に押して該排水トレイ１０に設けられた凹部１１をワークテーブル１に設けられた凸部１２を係合させることによって、排水トレイ１０をワークテーブル（インスツルメントホルダ）１に装着することができ、逆方向に引き抜くことによって、ワークテーブル（インスツルメントホルダ）から離脱することができる。
【００１３】
ワークテーブル１（又はインスツルメントホルダ２）には、排水トレイ１０が装着されたことを検知するセンサ（光センサ、磁気センサ、マイクロスイッチ等、何でもよい）１３が設けられており、このセンサ１３が作動しない限り、ならし運転やスプレー運転はできないようになっている。なお、好ましくは、このセンサ１３は複数箇所に設けておき、これら複数のセンサが同時に働かない限り、ならし運転や、スプレー運転ができないようにしておけば、排水トレイより確実に装着されたことを検出し、更に確実に誤操作を防止することができる。
【００１４】
なお、図１には、ならし運転用の操作スイッチ１４、及び、スプレー用の操作スイッチ１５がワークテーブル１の前面に設けられている例を示したが、これらの操作スイッチは、アシスタントが操作しやすい場所ならどこでもよい。
【００１５】
ワークテーブル１（又はインスツルメントホルダ２には表示パネル１６が設けられており、排水トレイ１０が装着されていない状態で、操作スイッチ１４又は１５が操作された時に、該表示パネル１６には、例えば、“排水トレイを装着して下さい”等の表示がなされ、アシスタントに注意を促す。同時に、又は表示パネルと関係なく、音声で同様の注意を促し、不慣れなアシスタントにも十分対応可能となっている。
【図面の簡単な説明】
【００１６】
【図１】本発明による歯科用アシスタントホルダの一実施例を説明するための要部概略構成図である。
【図２】スプレー用の排水トレイを備えた従来の歯科用インスツルメントホルダの例を説明するための要部概略構成図である。
【符号の説明】
【００１７】
１…ワークテーブル、２…インスツルメントホルダ、３…インスツルメント、４…インスツルメントホース、１０…排水トレイ、１１…凹（溝）部、１２…凸部（突起）、１３…センサ、１４，１５…操作スイッチ、１６…表示パネル。
【図１】
0004666368.tif 000002
【図２】
0004666368.tif 000003